(57)【要約】【課題】外装体を構成する２つの部材を複数の固定部で固定する構成において、当該複数の固定部のうちの一部の固定部が先に損傷してしまうのを抑制することができる蓄電装置を提供する。【解決手段】蓄電素子２０と外装体１０とを備える蓄電装置１であって、外装体１０は、外装体本体２００と、複数の固定部１１０及び１２０を有し、複数の固定部１１０及び１２０で外装体本体２００に固定される蓋体１００とを備え、複数の固定部１１０及び１２０は、外装体本体２００と蓋体１００との並び方向において異なる位置に配置されており、かつ、同じ剛性を有している。【選択図】図３
2018123784.tif 000002
【特許請求の範囲】
【請求項１】
蓄電素子と外装体とを備える蓄電装置であって、
前記外装体は、
第一外装体と、
複数の固定部を有し、前記複数の固定部で前記第一外装体に固定される第二外装体とを備え、
前記複数の固定部は、前記第一外装体と前記第二外装体との並び方向において異なる位置に配置されており、かつ、同じ剛性を有している
蓄電装置。
【請求項２】
前記複数の固定部は、高さ、厚み及び幅の少なくとも１つが同じである
請求項１に記載の蓄電装置。
【請求項３】
前記複数の固定部は、形状及び大きさが同じである
請求項１または２に記載の蓄電装置。
【請求項４】
前記複数の固定部は、前記第一外装体との接触面積が同じである
請求項１〜３のいずれか１項に記載の蓄電装置。
【請求項５】
前記第一外装体は、前記蓄電素子と前記第二外装体との間に配置される中間部材を有し、
前記第二外装体は、前記複数の固定部のうちの少なくとも１つの固定部で、前記中間部材に固定される
請求項１〜４のいずれか１項に記載の蓄電装置。
【請求項６】
前記中間部材は、前記蓄電素子に接続されるバスバーを保持するバスバーフレームであり、
前記少なくとも１つの固定部が前記バスバーフレームに係合することで、前記第二外装体が前記バスバーフレームに固定される
請求項５に記載の蓄電装置。
【請求項７】
前記第二外装体には、外表面よりも前記少なくとも１つの固定部が内側に配置されることで、窪み部が形成され、
前記バスバーフレームの前記少なくとも１つの固定部が係合する部分は、前記窪み部に配置される
請求項６に記載の蓄電装置。
【請求項８】
前記第二外装体は、前記複数の固定部のうち前記並び方向において前記第一外装体側に配置される固定部を有する部分の外方に、前記蓄電素子と電気的に接続された外部ハーネスが配置される
請求項１〜７のいずれか１項に記載の蓄電装置。
【請求項９】
前記第二外装体は、前記複数の固定部のうち前記並び方向において前記第二外装体側に配置される固定部を有する部分の内方に、前記蓄電素子と電気的に接続された電気部品が配置される
請求項１〜８のいずれか１項に記載の蓄電装置。
【請求項１０】
蓄電素子と外装体とを備える蓄電装置であって、
前記外装体は、
第一外装体と、
複数の固定部を有し、前記複数の固定部で前記第一外装体に固定される第二外装体とを備え、
前記第二外装体は、高さが高い部分と低い部分とを有し、
前記複数の固定部のうち、前記高い部分に配置される固定部と、前記低い部分に配置される固定部とは、高さ方向の長さが同じに形成されている
蓄電装置。
【発明の詳細な説明】
【技術分野】
【０００１】
本発明は、蓄電素子と外装体とを備える蓄電装置に関する。
【背景技術】
【０００２】
従来、蓄電素子が外装体に収容された構成の蓄電装置が広く知られている。このような蓄電装置において、例えば、特許文献１には、電池カバーに設けられた複数の係止部が本体ケースに係合されて、電池カバーが本体ケースに固定される構成が開示されている。
【先行技術文献】
【特許文献】
【０００３】
【特許文献１】特開平１０−１９０２５４号公報
【発明の概要】
【発明が解決しようとする課題】
【０００４】
ここで、上記特許文献１に開示された従来の蓄電装置は、外装体を構成する２つの部材（電池カバー及び本体ケース）を複数の固定部（係止部）で固定する構成であり、高さが異なる位置に形状が異なる複数の固定部が配置されている。このため、上記従来の蓄電装置では、複数の固定部のうちの一部の固定部が折れやすくなっており、当該一部の固定部が先に損傷してしまうおそれがある。【０００５】
本発明は、上記課題に鑑みてなされたものであり、外装体を構成する２つの部材を複数の固定部で固定する構成において、当該複数の固定部のうちの一部の固定部が先に損傷してしまうのを抑制することができる蓄電装置を提供することを目的とする。
【課題を解決するための手段】
【０００６】
上記目的を達成するために、本発明の一態様に係る蓄電装置は、蓄電素子と外装体とを備える蓄電装置であって、前記外装体は、第一外装体と、複数の固定部を有し、前記複数の固定部で前記第一外装体に固定される第二外装体とを備え、前記複数の固定部は、前記第一外装体と前記第二外装体との並び方向において異なる位置に配置されており、かつ、同じ剛性を有している。【０００７】
これによれば、蓄電装置において、第二外装体は、複数の固定部で第一外装体に固定され、当該複数の固定部は、第一外装体と第二外装体との並び方向において異なる位置に配置されており、かつ、同じ剛性を有している。つまり、第二外装体の複数の固定部は、高さが異なっていても、同じ剛性を有していることで同等の折れやすさになるため、一部の固定部が先に折れたりしてしまうのを抑制することができる。このため、当該蓄電装置によれば、外装体を構成する２つの部材（第一外装体及び第二外装体）を複数の固定部で固定する構成において、当該複数の固定部のうちの一部の固定部が先に損傷してしまうのを抑制することができる。【０００８】
また、前記複数の固定部は、高さ、厚み及び幅の少なくとも１つが同じであることにしてもよい。【０００９】
これによれば、第二外装体の複数の固定部は、高さ、厚み及び幅の少なくとも１つが同じになることで、同じ剛性を有する部位となっている。【００１０】
また、前記複数の固定部は、形状及び大きさが同じであることにしてもよい。【００１１】
これによれば、第二外装体の複数の固定部は、形状及び大きさが同じになることで、同じ剛性を有する部位となっている。【００１２】
また、前記複数の固定部は、前記第一外装体との接触面積が同じであることにしてもよい。【００１３】
これによれば、第二外装体の複数の固定部は、第一外装体との接触面積が同じであるため、複数の固定部に同じ応力がかかり、当該複数の固定部のうちの一部の固定部が先に損傷してしまうのを抑制することができる。【００１４】
また、前記第一外装体は、前記蓄電素子と前記第二外装体との間に配置される中間部材を有し、前記第二外装体は、前記複数の固定部のうちの少なくとも１つの固定部で、前記中間部材に固定されることにしてもよい。【００１５】
これによれば、第二外装体は、少なくとも１つの固定部で、第一外装体が有する中間部材に固定される。つまり、第二外装体を中間部材に固定することで、第二外装体を第一外装体に固定することができる。【００１６】
また、前記中間部材は、前記蓄電素子に接続されるバスバーを保持するバスバーフレームであり、前記少なくとも１つの固定部が前記バスバーフレームに係合することで、前記第二外装体が前記バスバーフレームに固定されることにしてもよい。【００１７】
これによれば、第二外装体の少なくとも１つの固定部が、中間部材としてのバスバーフレームに係合することで、第二外装体がバスバーフレームに固定される。つまり、当該少なくとも１つの固定部がバスバーフレームに係合することで、第二外装体を第一外装体に固定することができる。【００１８】
また、前記第二外装体には、外表面よりも前記少なくとも１つの固定部が内側に配置されることで、窪み部が形成され、前記バスバーフレームの前記少なくとも１つの固定部が係合する部分は、前記窪み部に配置されることにしてもよい。【００１９】
これによれば、第二外装体の少なくとも１つの固定部とバスバーフレームの係合部分とを第二外装体の窪み部に配置して、当該少なくとも１つの固定部と当該係合部分とを係合する。これにより、第二外装体の外表面から、当該少なくとも１つの固定部と当該係合部分とが外方に突出するのを抑制することができる。【００２０】
また、前記第二外装体は、前記複数の固定部のうち前記並び方向において前記第一外装体側に配置される固定部を有する部分の外方に、前記蓄電素子と電気的に接続された外部ハーネスが配置されることにしてもよい。【００２１】
これによれば、第二外装体は、第一外装体側の固定部を有する部分の外方に、外部ハーネスが配置される。つまり、第二外装体の低い部分の外方に外部ハーネスを配置することで、低くなることで外部に生じるスペースを有効活用することができる。【００２２】
また、前記第二外装体は、前記複数の固定部のうち前記並び方向において前記第二外装体側に配置される固定部を有する部分の内方に、前記蓄電素子と電気的に接続された電気部品が配置されることにしてもよい。【００２３】
これによれば、第二外装体は、第二外装体側の固定部を有する部分の内方に、電気部品が配置される。つまり、第二外装体の高い部分の内方に基板等の電気部品を配置することで、高くなることで内部に生じるスペースを有効活用することができる。【００２４】
また、本発明の他の一態様に係る蓄電装置は、蓄電素子と外装体とを備える蓄電装置であって、前記外装体は、第一外装体と、複数の固定部を有し、前記複数の固定部で前記第一外装体に固定される第二外装体とを備え、前記第二外装体は、高さが高い部分と低い部分とを有し、前記複数の固定部のうち、前記高い部分に配置される固定部と、前記低い部分に配置される固定部とは、高さ方向の長さが同じに形成されている。【００２５】
これによれば、蓄電装置において、第二外装体は、複数の固定部で第一外装体に固定され、当該複数の固定部のうち、第二外装体の高い部分に配置される固定部と、第二外装体の低い部分に配置される固定部とは、高さ方向の長さが同じに形成されている。つまり、第二外装体の複数の固定部は、配置される高さが異なっていても、高さ方向の長さが同じに形成されていることで同等の折れやすさになるため、一部の固定部が先に折れたりしてしまうのを抑制することができる。このため、当該蓄電装置によれば、外装体を構成する２つの部材（第一外装体及び第二外装体）を複数の固定部で固定する構成において、当該複数の固定部のうちの一部の固定部が先に損傷してしまうのを抑制することができる。【００２６】
なお、本発明は、蓄電装置として実現することができるだけでなく、当該蓄電装置が備える外装体（第一外装体及び第二外装体）としても実現することができる。
【発明の効果】
【００２７】
本発明における蓄電装置によれば、外装体を構成する２つの部材を複数の固定部で固定する構成において、当該複数の固定部のうちの一部の固定部が先に損傷してしまうのを抑制することができる。
【図面の簡単な説明】
【００２８】
【図１】実施の形態に係る蓄電装置の外観を示す斜視図である。
【図２】実施の形態に係る蓄電装置を分解した場合の各構成要素を示す分解斜視図である。
【図３】実施の形態に係る蓋体の構成を示す斜視図である。
【図４】実施の形態に係る中間部材の構成を示す斜視図である。
【図５Ａ】実施の形態に係る蓋体の高い位置の固定部が中間部材に係合する構成の断面を示す斜視図である。
【図５Ｂ】実施の形態に係る蓋体の高い位置の固定部が中間部材に係合する構成を示す断面図である。
【図６Ａ】実施の形態に係る蓋体の低い位置の固定部が中間部材に係合する構成の断面を示す斜視図である。
【図６Ｂ】実施の形態に係る蓋体の低い位置の固定部が中間部材に係合する構成を示す断面図である。
【図７】実施の形態に係る蓋体の、図５ＢのＡ−Ａ線の位置における断面図である。
【図８】実施の形態に係る蓄電装置の、図５ＢのＢ−Ｂ線の位置における断面図である。
【図９】実施の形態に係る蓋体の高い位置の固定部が中間部材に係合する別の構成の断面を示す斜視図である。（図１のＣ−Ｃ断面における斜視図である。）
【発明を実施するための形態】
【００２９】
以下、図面を参照しながら、本発明の実施の形態に係る蓄電装置について説明する。なお、以下で説明する実施の形態は、包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００３０】
また、以下の説明及び図面中において、蓄電素子の並び方向、蓄電素子の容器の長側面の対向方向、または、当該容器の厚さ方向をＸ軸方向と定義する。また、１つの蓄電素子における電極端子の並び方向、または、蓄電素子の容器の短側面の対向方向をＹ軸方向と定義する。また、蓄電装置の外装体本体と蓋との並び方向、蓄電素子の容器本体と蓋との並び方向、または、上下方向をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸方向プラス側とは、Ｘ軸の矢印方向側を示し、Ｘ軸方向マイナス側とは、Ｘ軸方向プラス側とは反対側を示す。Ｙ軸方向やＺ軸方向についても同様である。
【００３１】
（実施の形態）
まず、図１及び図２を用いて、本実施の形態における蓄電装置１の全般的な説明を行う。図１は、本実施の形態に係る蓄電装置１の外観を示す斜視図である。図２は、本実施の形態に係る蓄電装置１を分解した場合の各構成要素を示す分解斜視図である。
【００３２】
蓄電装置１は、外部からの電気を充電し、また外部へ電気を放電することができる装置である。例えば、蓄電装置１は、電力貯蔵用途や電源用途などに使用される電池モジュールである。具体的には、蓄電装置１は、例えば、電気自動車（ＥＶ）、ハイブリッド電気自動車（ＨＥＶ）またはプラグインハイブリッド電気自動車（ＰＨＥＶ）等の自動車、自動二輪車、ウォータークラフト、スノーモービル、農業機械、建設機械などの移動体の駆動用またはエンジン始動用のバッテリ等として用いられる。
【００３３】
ここで、図１及び図２に示すように、蓄電装置１は、蓋体１００及び外装体本体２００からなる外装体１０と、外装体１０内方に収容される複数の蓄電素子２０、複数のバスバー３０及び基板４０とを備えている。
【００３４】
外装体１０は、蓄電装置１の内容物を収容する部材として構成される矩形状（箱状）の容器（モジュールケース）である。また、外装体１０は、内容物を保持する保持部材とも云える。つまり、外装体１０は、蓄電素子２０、バスバー３０及び基板４０等の外方に配置され、これら蓄電素子２０等を所定の位置に配置し、衝撃などから保護する。また、外装体１０は、例えば、ポリカーボネート（ＰＣ）、ポリプロピレン（ＰＰ）、ポリエチレン（ＰＥ）、ポリフェニレンサルファイド樹脂（ＰＰＳ）、ポリブチレンテレフタレート（ＰＢＴ）またはＡＢＳ樹脂等の絶縁材料により構成されている。外装体１０は、これにより、蓄電素子２０等が金属部材などに接触することを回避する。
【００３５】
ここで、外装体１０は、外装体１０の蓋体（外蓋）を構成する扁平な矩形状の蓋体１００と、外装体１０の本体を構成する外装体本体２００とを有している。また、外装体本体２００は、開口２１１が形成された有底矩形筒状のハウジング２１０と、外装体１０の開口２１１に配置される扁平な矩形状の中間部材２２０とを有している。つまり、ハウジング２１０の開口２１１を塞ぐように、中間部材２２０が配置され、さらにその上方に蓋体１００が配置される。なお、外装体本体２００（ハウジング２１０及び中間部材２２０）は、第一外装体の一例であり、蓋体１００は、第二外装体の一例である。
【００３６】
ハウジング２１０は有底矩形筒状に形状されており、矩形の底壁と底壁から立設する側壁２１２を有している。側壁２１２の上端は開口２１１となっており、蓄電素子２０は開口２１１からハウジング２１０の内部に収容される。
【００３７】
蓋体１００は、ハウジング２１０の開口２１１を中間部材２２０の上方から覆う上壁１０５と側壁１０６とを有している。側壁１０６は上壁１０５の周縁に形成されている。また、上壁１０５は段差を有している。具体的には、Ｘ軸方向の両端部に、高さ（Ｚ軸方向の高さ）が高い部分である高位置部１０１を有し、Ｘ軸方向の中央部に、高さが低い部分である低位置部１０２を有している。また、蓋体１００の中心部分、つまり、低位置部１０２には、貫通孔１００ａが形成されている。
【００３８】
また、中間部材２２０は、蓄電素子２０に接続されるバスバー３０を保持するバスバーフレーム（バスバープレート）であり、蓄電素子２０と蓋体１００との間に配置されている。つまり、中間部材２２０は、床部２２６を有しており、床部２２６にバスバー３０及び基板４０や、その他リレーなどの電装部品、配線類等（図示せず）を保持し、当該バスバー３０及び基板４０等と他の部材との絶縁、及び、当該バスバー３０及び基板４０等の位置規制等を行う。床部２２６はさらに、蓄電素子２０の電極端子２２、２３に対応する部分に、バスバーを配置するためのバスバー配置部２２７を有している。また、床部２２６の周縁には周壁２２５が形成されている。周壁２２５の外面には図示しない凸部が形成されており、該凸部がハウジング２１０の側壁２１２に形成された凹部（不図示）に嵌合することにより、ハウジング２１０と中間部材２２０が固定される。
【００３９】
このような構成により、ハウジング２１０に複数の蓄電素子２０が収容され、中間部材２２０が、当該複数の蓄電素子２０の上方（Ｚ軸方向プラス側）に載置され、蓄電素子２０に対して位置決めされる。また、中間部材２２０上に、複数のバスバー３０及び基板４０等が載置されて位置決めされる。これにより、複数のバスバー３０が蓄電素子２０に対して位置決めされて接続され、基板４０が配線等に対して位置決めされて接続される。また、中間部材２２０上に、蓋体１００が配置されて位置決めされる。具体的には、中間部材２２０の周壁２２５の外側に蓋体１００の側壁１０６を被せるように位置決めされて配置される。
【００４０】
なお、蓋体１００、ハウジング２１０及び中間部材２２０は、同じ材質の部材で形成されていてもよいし、異なる材質の部材で形成されていてもかまわない。また、蓋体１００は中間部材２２０に固定されるが、この固定の構成（蓋体１００及び中間部材２２０の構成）の詳細な説明については、後述する。
【００４１】
蓄電素子２０は、電気を充電し、また、電気を放電することのできる二次電池（単電池）であり、より具体的には、リチウムイオン二次電池などの非水電解質二次電池である。蓄電素子２０は、扁平な直方体形状（角型）の形状を有しており、本実施の形態では、８個の蓄電素子２０がＸ軸方向に配列されている。なお、蓄電素子２０の形状や、配列される蓄電素子２０の個数は限定されない。また、蓄電素子２０は、非水電解質二次電池には限定されず、非水電解質二次電池以外の二次電池であってもよいし、キャパシタであってもよく、さらに、使用者が充電をしなくても蓄えられている電気を使用できる一次電池であってもよい。
【００４２】
ここで、蓄電素子２０は、金属製の容器２１を備え、容器２１の蓋部分には、金属製の電極端子である正極端子２２及び負極端子２３が設けられている。なお、容器２１の蓋部分には、容器２１内の圧力上昇時にガスを排出して圧力を開放するガス排出弁も設けられているが、詳細な説明は省略する。また、容器２１の内方には、電極体（蓄電要素または発電要素ともいう）及び集電体（正極集電体及び負極集電体）等が配置され、電解液（非水電解質）などが封入されているが、詳細な説明は省略する。
【００４３】
バスバー３０は、複数の蓄電素子２０上（中間部材２２０上）に配置され、複数の蓄電素子２０の電極端子同士を電気的に接続する矩形状の板状部材である。バスバー３０は、例えば、銅、銅合金、アルミニウム、アルミニウム合金等の金属製の導電部材で形成されている。本実施の形態では、バスバー３０は、隣り合う蓄電素子２０の正極端子２２と負極端子２３とを接続することで、８個の蓄電素子２０を直列に接続しているが、蓄電素子２０の直列接続及び並列接続の組み合わせは特に限定されない。
【００４４】
なお、最も外側の電極端子である、Ｘ軸方向マイナス側及びＹ軸方向プラス側の蓄電素子２０の正極端子２２と、Ｘ軸方向プラス側及びＹ軸方向プラス側の蓄電素子２０の負極端子２３とは、蓋体１００から露出して配置されている。この最も外側の電極端子が、外部の導電部材と直接接続、または、外部端子（図示せず）を介して接続されることにより、蓄電装置１が、外部からの電気を充電し、また外部へ電気を放電することができる。
【００４５】
基板４０は、中間部材２２０上に載置されて、中間部材２２０に固定される制御基板である。基板４０は、配線等によって複数の蓄電素子２０と電気的に接続され、当該複数の蓄電素子２０の状態を取得し、監視し、制御する。具体的には、基板４０は、制御回路（図示せず）が設けられ、複数の蓄電素子２０の充電状態や放電状態、電圧値、電流値、温度などの各種情報を取得したり、リレーのオン、オフを制御したり、他の機器と通信を行ったりする。なお、基板４０は、電気部品の一例である。
【００４６】
ここで、基板４０は、中間部材２２０上のＸ軸方向プラス側の位置に配置される。つまり、基板４０は、中間部材２２０と蓋体１００の高位置部１０１との間に配置される。また、基板４０は、蓄電装置１の外部の配線である外部ハーネス（図示せず）に貫通孔１００ａを介して接続されており、当該外部ハーネスは、低位置部１０２の上方に配置される。このように、高位置部１０１の内方に基板４０が配置され、低位置部１０２の外方に外部ハーネスが配置される。なお、低位置部１０２の外方に配置される外部ハーネスは、蓄電素子２０と電気的に接続された配線であれば、どのような配線であってもよい。また、低位置部１０２の外方にコネクタ（図示せず）が配置され、当該コネクタを介して、外部ハーネスと蓄電素子２０とが電気的に接続されていてもよい。また、当該コネクタは貫通孔１００ａの内方に配置されていてもよいし、基板４０に固定されていてもよい。
【００４７】
以上のように、蓋体１００は、後述の固定部１１０を有する部分である高位置部１０１の内方に、蓄電素子２０と電気的に接続された電気部品としての基板４０が配置される。また、蓋体１００は、後述の固定部１２０を有する部分である低位置部１０２の外方に、蓄電素子２０と電気的に接続された外部ハーネスが配置される。
【００４８】
より具体的に、蓄電装置１を用いる形態について説明する。上述した電気自動車（ＥＶ）などは、複数の蓄電装置１を搭載した蓄電パックを備えている。電気自動車（ＥＶ）などでは、電池パックの省スペース化が求められる。例えば、省スペース化のために、電池パックあるいは蓄電装置の高さ方向（Ｚ軸方向）の寸法を出来るだけ低くすることが求められる。この際に、空間を出来るだけ有効に使えるように、蓄電装置の上面に、高位置部や低位置部の凸凹を設けると都合がよい。ここで、外部ハーネスは蓄電装置１ごとにそれぞれ設けられるため、複数の外部ハーネスの束が配置可能な所定のスペースが必要である。そこで、省スペース化を図る本実施の形態の蓄電パックは、複数の蓄電装置１を図１に示すＹ軸方向に配列し、複数の蓄電装置１の低位置部１０２をＹ軸方向に沿って、Ｘ軸方向の幅が揃うように配置する。そして、その連なった低位置部１０２のＺ軸方向上面に、自身の蓄電装置とは異なる、隣接する蓄電装置に接続するための外部ハーネスを配置する。これによって、蓄電装置１の低位置部１０２を外部ハーネス用の経路として活用することができる。
【００４９】
また、複数の蓄電装置１を配列して使用する場合、本実施の形態のように、外部ハーネスが低位置部１０２上に配置される形態、即ち、外部ハーネスが蓋体１００の上で接続される形態は、作業性が良いので好ましい。一方、蓄電装置１の側面に外部ハーネスを接続する場合、省スペース化のために複数の蓄電装置１の間隔が狭くなり作業が悪い場合がある。
【００５０】
次に、蓋体１００及び中間部材２２０の構成、及び、蓋体１００及び中間部材２２０の固定の構成について、詳細に説明する。図３は、本実施の形態に係る蓋体１００の構成を示す斜視図である。なお、図３の（ｂ）は、図３の（ａ）における点線で囲まれた部分を拡大して示す斜視図である。図４は、本実施の形態に係る中間部材２２０の構成を示す斜視図である。なお、図４の（ｂ）は、図４の（ａ）における点線で囲まれた部分を拡大して示す斜視図である。また、図７は、本実施の形態に係る蓋体１００の構成を示す断面図であり、蓋体１００の側壁１０６の部位におけるＺ軸に平行な断面図（図５ＢのＡ−Ａ線の位置における蓋体１００の断面図）である。図８は、本実施の形態に係る蓄電装置１の構成を示す断面図であり、蓄電装置１のＹ軸方向マイナス側の周縁部におけるＺ軸に平行な断面図（図５ＢのＢ−Ｂ線の位置における断面図）である。なお、図８では、蓄電素子２０は図示していない。
【００５１】
図３、図７、図８に示すように、蓋体１００は、複数の固定部１１０及び１２０を有している。ここで、複数の固定部１１０及び１２０は、蓋体１００と外装体本体２００との並び方向（または蓋体１００と中間部材２２０との並び方向、つまりＺ軸方向）において、異なる位置に配置されている。つまり、固定部１１０は、複数の固定部１１０及び１２０のうち、当該並び方向において蓋体１００（上壁１０５）側に配置される固定部である。また、固定部１２０は、複数の固定部１１０及び１２０のうち、当該並び方向において外装体本体２００側（中間部材２２０側）に配置される固定部である。
【００５２】
具体的には、固定部１１０は、蓋体１００の高さ（Ｚ軸方向の高さ）が高い部分である高位置部１０１に配置され、固定部１２０は、蓋体１００の高さが低い部分である低位置部１０２に配置されている。つまり、固定部１１０は、蓋体１００の高さが高い位置に配置され、固定部１２０は、蓋体１００の高さが低い位置に配置されている。
【００５３】
さらに具体的には、Ｘ軸方向マイナス側の高位置部１０１のＹ軸方向プラス側及びマイナス側の端部に、固定部１１０がそれぞれ設けられている。また、Ｘ軸方向プラス側の高位置部１０１のＹ軸方向プラス側及びマイナス側の端部にも、固定部１１０がそれぞれ設けられている。また、低位置部１０２のＹ軸方向プラス側の端部に４つの固定部１１０が設けられ、低位置部１０２のＹ軸方向マイナス側の端部に２つの固定部１１０が設けられている。ここで、図３によれば、複数の固定部１１０のうち、Ｙ軸方向プラス側端部かつＸ軸方向の両端部に設けられた２個の固定部１１０は蓋体１００の上壁１０５の内方寄りに形成されている。他の固定部１１０および固定部１２０は上壁１０５の周縁に形成されている。
【００５４】
また、蓋体１００には、蓋体１００の側壁１０６における外表面１０３よりも固定部１１０及び１２０がＹ軸方向の内側に配置されることで、窪み部１３０及び１４０が形成されている。つまり、窪み部１３０は、蓋体１００の高位置部１０１の外表面１０３からＹ軸方向の内側に凹んで形成された凹部であり、複数の固定部１１０のそれぞれに対応して設けられている。また、窪み部１４０は、蓋体１００の低位置部１０２の外表面１０３からＹ軸方向の内側に凹んで形成された凹部であり、複数の固定部１２０のそれぞれに対応して設けられている。
【００５５】
ここで、図７に示すように、複数の固定部１１０及び１２０は、形状及び大きさが同じになるように形成されている。具体的には、複数の固定部１１０及び１２０は、Ｘ軸方向の幅、Ｚ軸方向の高さ、および厚さが同じになるように形成されている。また、蓋体１００は一体成形品であり、複数の固定部１１０及び１２０は、同じ材質で形成されている。このため、複数の固定部１１０及び１２０は、同じ剛性を有している。具体的には、複数の固定部１１０及び１２０は、Ｘ軸方向、Ｙ軸方向、Ｚ軸方向、及びそれらを組み合わせた方向等、あらゆる方向において、同じ剛性を有している。
【００５６】
なお、「形状及び大きさが同じ」、及び、「同じ剛性を有している」の「同じ」とは、完全に一致している場合のみならず、実質的に同等の場合も含む概念であり、多少の誤差は許容される。以降の「同じ」の表現についても、同様である。
【００５７】
また、同じ剛性を有するとは、外力に対して同じ強さの状態を言い、例えば、曲げやねじりの力に対して寸法変化が同じ状態であるとして定義できる。つまり、例えば、固定部１１０と固定部１２０とが同じ剛性を有するとは、固定部１１０及び固定部１２０について同じ大きさの領域の中央部分を同じ力で押したときに、固定部１１０と固定部１２０との寸法変化（撓み量）が同じ場合をいう。または、同じ寸法変化を生じさせるために必要な力が、固定部１１０と固定部１２０とで同じ場合であるとも言える。また、同じ大きさの領域の中央部分を同じ力で押したときに、押した方向に対する弾性力または反発力が同じであれば、同じ剛性を有すると定義することもできる。なお、剛性の定義は、上記に限定されることなく、当業者であれば通常解釈できる範囲内の定義であればよい。
【００５８】
ここで、固定部１１０は、腕部１１１と爪部１１２とを有している。腕部１１１は、高位置部１０１の上面部から下方（Ｚ軸方向マイナス側）に延びる、矩形状かつ平板状の部位である。爪部１１２は、腕部１１１の先端に配置され、外方（Ｙ軸方向マイナス側）に突出した部位である。また、同様に、固定部１２０は、腕部１２１と爪部１２２とを有している。腕部１２１は、低位置部１０２の上面部から下方（Ｚ軸方向マイナス側）に延びる、矩形状かつ平板状の部位である。爪部１２２は、腕部１２１の先端に配置され、外方（Ｙ軸方向マイナス側）に突出した部位である。つまり、腕部１１１と腕部１２１とは、形状及び大きさが同じであり、爪部１１２と爪部１２２とは、形状及び大きさが同じである。具体的には、腕部１１１と腕部１２１は、Ｘ軸方向の幅とＺ軸方向の高さおよびＹ軸方向の厚さが同じである。
【００５９】
また、図４に示すように、中間部材２２０は、爪部１１２が係合する係合部２２１と、爪部１２２が係合する係合部２２２とを有している。係合部２２１、２２２は、中間部材２２０の周壁２２５の一部として形成されている。具体的には、中間部材２２０の、Ｘ軸方向マイナス側の端部におけるＹ軸方向の両端部に、固定部１１０の爪部１１２に対応して係合部２２１がそれぞれ設けられている。また、中間部材２２０の、Ｘ軸方向プラス側の端部におけるＹ軸方向の両端部に、固定部１１０の爪部１１２に対応して係合部２２１がそれぞれ設けられている。また、中間部材２２０の、Ｙ軸方向プラス側の端部におけるＸ軸方向中央寄りの領域に、４つの固定部１２０の爪部１２２に対応して４つの係合部２２２が設けられている。また、中間部材２２０の、Ｙ軸方向マイナス側の端部におけるＸ軸方向中央寄りの領域に、２つの固定部１２０の爪部１２２に対応して２つの係合部２２２が設けられている。
【００６０】
具体的には、中間部材２２０には、係合部２２１の下方に開口部２２１ａが形成されており、開口部２２１ａ内に爪部１１２が挿入されて、爪部１１２が係合部２２１と係合する。同様に、中間部材２２０には、係合部２２２の下方に開口部２２２ａが形成されており、開口部２２２ａ内に爪部１２２が挿入されて、爪部１２２が係合部２２２と係合する。
【００６１】
なお、爪部１１２は爪部１２２よりも高い位置に配置されているため、係合部２２１は係合部２２２よりも高い位置に配置されている。つまり、開口部２２１ａの上端縁は、開口部２２２ａの上端縁よりも高い位置に配置されている。具体的には、開口部２２１ａは、開口部２２２ａよりも高さ方向に大きく形成されている。開口部２２１ａの奥行きと幅については、開口部２２２ａと同じ大きさである。なお、開口部２２１ａは、開口部２２２ａと高さ方向の大きさが同じであり、かつ開口部２２２ａよりも高さが高い位置に形成されていることにしてもよい。
【００６２】
ここで、開口部２２１ａ、開口部２２２ａは、中間部材２２０の周壁２２５において、バスバー配置部２２７に隣接する位置に形成されている。また、中間部材２２０は、バスバー配置部のＸ軸方向の両側に、バスバー３０と蓄電素子２０の電極端子２２、２３とを接続するための矩形の孔が形成されている。周壁２２５において、開口部２２１ａ、開口部２２２ａが形成されている部分は、バスバー配置部２２７と接続されていることによって、矩形の孔に隣接する部分よりも撓みにくく、固定部１１０、１２０と係合部２２１、２２２との固定に好適である。
【００６３】
このような構成により、複数の固定部１１０及び１２０が中間部材２２０に係合する。つまり、蓋体１００（第二外装体）は、複数の固定部１１０及び１２０で外装体本体２００（第一外装体）に固定される。この蓋体１００が複数の固定部１１０及び１２０で外装体本体２００に固定される構成（つまり、固定部１１０及び１２０が中間部材２２０に係合する構成）について、以下に、さらに詳細に説明する。
【００６４】
図５Ａは、本実施の形態に係る蓋体１００の高い位置の固定部１１０が中間部材２２０に係合する構成の断面を示す斜視図であり、図５Ｂは、図５ＡをＸ軸方向プラス側から見た場合の断面図である。また、図６Ａは、本実施の形態に係る蓋体１００の低い位置の固定部１２０が中間部材２２０に係合する構成の断面を示す斜視図であり、図６Ｂは、図６ＡをＸ軸方向プラス側から見た場合の断面図である。また、図８は、本実施の形態に係る蓄電装置１の構成を示す断面図であり、蓄電装置１のＹ軸方向マイナス側の周縁部におけるＺ軸に平行な断面図（図５ＢのＢ−Ｂ線の位置における断面図）である。なお、図８では、蓄電素子２０は図示していない。
【００６５】
これらの図に示すように、蓋体１００は、複数の固定部１１０及び１２０のうちの少なくとも１つの固定部で、中間部材２２０に固定される。つまり、当該少なくとも１つの固定部がバスバーフレームである中間部材２２０に係合することで、蓋体１００がバスバーフレームに固定される。また、中間部材２２０の当該少なくとも１つの固定部が係合する部分は、窪み部１３０または１４０に配置される。
【００６６】
なお、本実施の形態では、当該少なくとも１つの固定部は、複数の固定部１１０及び１２０の全ての固定部である。つまり、蓋体１００は、全ての固定部１１０及び１２０が中間部材２２０に係合することで、蓋体１００が中間部材２２０に固定される。図８に示すように、蓋体１００の複数の固定部１１０及び１２０は、蓋体１００と外装体本体２００（ハウジング２１０および中間部材２２０）との並び方向（Ｚ軸方向）において、異なる位置に配置されている。蓋体１００の高位置部１０１に配置される固定部１１０は、対応する係合部２２１と係合し、蓋体１００の低位置部１０２に配置される固定部１２０は、対応する係合部２２２と係合する。なお、図８では、固定部１１０は脚部１１１の基部が示されており、固定部１２０は脚部１２１の基部が示されている。また、図５Ａ及び図５Ｂに示すように、中間部材２２０の、固定部１１０が係合する係合部２２１は、窪み部１３０内に配置される。また、図６Ａ及び図６Ｂに示すように、中間部材２２０の、固定部１２０が係合する係合部２２２は、窪み部１４０内に配置される。
【００６７】
図５Ａ、図６Ａに示されるように、蓋体１００の側壁１０６は中間部材の周壁２２５の外側に配置されるが、固定部１１０、１２０は係合部２２１、２２２の内側に配置されている。ここで、固定部１１０の腕部１１１、固定部１２０の腕部１２１は弾性を有しており、係合部２２１、２２２が、腕部１１１、１２１の外方から当接することにより、腕部の弾性作用で、固定部１１０、１２０と係合部２２１、２２２とが確実に固定される。また、蓋体１００の側壁１０６は、中間部材２２０の周壁２２５の外方から被せるだけでよいので、作業性がよい。
【００６８】
これにより、係合部２２１は、蓋体１００の高位置部１０１の外表面１０３よりも内方（Ｙ軸方向マイナス側）に配置され、係合部２２２は、蓋体１００の低位置部１０２の外表面１０３よりも内方（Ｙ軸方向マイナス側）に配置される。
【００６９】
また、複数の固定部１１０及び１２０は、外装体本体２００の中間部材２２０との接触面積が同じである。つまり、固定部１１０の爪部１１２と中間部材２２０の係合部２２１との接触面積は、固定部１２０の爪部１２２と中間部材２２０の係合部２２２との接触面積と同じである。
【００７０】
また、中間部材２２０の開口部２２１ａ内に固定部１１０の爪部１１２が挿入される際
には、固定部１１０の腕部１１１がＹ軸方向プラス側に弾性変形して反った状態で、爪部１１２が、係合部２２１のＹ軸方向プラス側を通過して、開口部２２１ａ内に挿入される。このため、固定部１１０が他の部材（バスバー３０等）と干渉しないように、固定部１１０が配置される位置のＹ軸方向プラス側には、空間（図５Ｂの空間Ａ１）が形成されている。同様に、固定部１２０が他の部材（バスバー３０等）と干渉しないように、固定部１２０が配置される位置のＹ軸方向プラス側にも、空間（図６Ｂの空間Ａ２）が形成されている。
【００７１】
また、中間部材２２０の開口部２２１ａ内に固定部１１０の爪部１１２が挿入された後においても、爪部１１２が高さ方向で他の部材（中間部材２２０の他の部位）と干渉しないように、爪部１１２のＺ軸方向マイナス側には、空間（図５Ｂの空間Ｂ１）が形成されている。特に、固定部１２０については、固定部１１０よりも低い位置に配置されるため、爪部１２２が中間部材２２０の床部２２６（バスバー配置部２２７）と干渉しないように、中間部材２２０に段差部２３０を設けることで、爪部１２２のＺ軸方向マイナス側にも空間（図６Ｂの空間Ｂ２）が形成されている。さらに、固定部１２０の脱着の際に、固定部１２０が弾性的に可動できるように、段差部２３０の奥行寸法（Ｙ軸方向）は、爪部１２２の位置よりも床部２２６の中央側まで広がっている。つまり、段差部の奥壁２３１は、Ｙ軸方向において、爪部１２２の位置よりも床部２２６の中央側まで広がっている。なお、中間部材２２０には、段差部２３０ではなくて、爪部１２２の下方に溝や貫通孔などが形成されていてもよい。
【００７２】
図９は、図１のＣ−Ｃ線における断面斜視図であり、蓋体１００の高位置部１０１の固定部１１０が、上壁１０５の内面側に形成されている形態が示されている。蓄電装置１は、総電極端子を露出させるために、蓋体１００の二つの角部が切り欠かれている。このため、切り欠きの近傍の固定部１１０は、蓋体１００の上壁１０５のＹ軸方向中央寄りに設けている。このとき、固定部１１０と係合する係合部２２１は中間部材２２０の床部２２６上に形成されている。この係合部２２１が形成されている部分は、周壁２２５の一部になっている。また、当該係合部２２１の下方は、貫通した開口部ではなく凹部となっている。このように、固定部の形成箇所は、蓋体１００の側壁１０６だけでなく、蓋体１００の上壁１０５の中央寄りに形成されてもよい。これにより、固定部１１０、１２０の形成箇所の自由度が増す。また、上記の例では、係合部２２１は、中間部材の周壁２２５の一部として形成されているが、周壁ではなく、床部２２６の中央寄りの位置に立設するように形成されてもよい。例えば、バスバー３０を配置する部分である矩形の孔に沿った立壁に設けてもよい。
【００７３】
以上のように、本発明の実施の形態に係る蓄電装置１によれば、第二外装体としての蓋体１００は、複数の固定部１１０及び１２０で、第一外装体としての外装体本体２００に固定されている。そして、当該複数の固定部１１０及び１２０は、外装体本体２００と蓋体１００との並び方向において異なる位置に配置されており、かつ、同じ剛性を有している。つまり、蓋体１００の複数の固定部１１０及び１２０は、高さが異なっていても、同じ剛性を有していることで同等の折れやすさになるため、一部の固定部が先に折れたりしてしまうのを抑制することができる。このため、蓄電装置１によれば、外装体１０を構成する２つの部材（外装体本体２００及び蓋体１００）を複数の固定部１１０及び１２０で固定する構成において、当該複数の固定部１１０及び１２０のうちの一部の固定部が先に損傷してしまうのを抑制することができる。
【００７４】
また、蓋体１００の複数の固定部１１０及び１２０は、形状及び大きさが同じになることで、同じ剛性を有する部位となっている。
【００７５】
また、蓋体１００の複数の固定部１１０及び１２０は、外装体本体２００（中間部材２２０）との接触面積が同じであるため、複数の固定部１１０及び１２０に同じ応力がかかり、当該複数の固定部１１０及び１２０のうちの一部の固定部が先に損傷してしまうのを抑制することができる。
【００７６】
また、図１、図２に示すように、蓋体１００の複数の固定部１１０及び１２０は、蓄電素子２０の配列方向に沿って配置されている。これは、蓄電素子２０の短側面に対向する位置に配置されているとも云える。この配置は蓄電素子２０の膨れの影響を受けにくいため、固定部の損傷を抑制することができる。蓄電素子２０は、その使用中に、容器２１の長側面（図２におけるＸ軸方向に交差する面）が膨れる。このため、複数の固定部１１０及び１２０が、蓄電素子２０の配列方向に交差する方向に沿って配置されると、蓄電素子２０の膨れによる応力が、複数の固定部１１０及び１２０に作用する場合がある。
【００７７】
また、蓋体１００は、少なくとも１つの固定部（本実施の形態では、複数の固定部１１０及び１２０）で、外装体本体２００が有する中間部材２２０に固定される。つまり、蓋体１００を中間部材２２０に固定することで、蓋体１００を外装体本体２００に固定することができる。
【００７８】
また、蓋体１００の少なくとも１つの固定部が、中間部材２２０としてのバスバーフレームに係合することで、蓋体１００がバスバーフレームに固定される。つまり、当該少なくとも１つの固定部がバスバーフレームに係合することで、蓋体１００を外装体本体２００に固定することができる。
【００７９】
また、蓋体１００の少なくとも１つの固定部と中間部材２２０の係合部分とを蓋体１００の窪み部１３０または１４０に配置して、当該少なくとも１つの固定部と当該係合部分とを係合する。これにより、蓋体１００の外表面１０３から、当該少なくとも１つの固定部と当該係合部分とが外方に突出するのを抑制することができる。
【００８０】
また、蓋体１００は、外装体本体２００側（中間部材２２０側）の固定部１２０を有する部分である低位置部１０２の外方に、外部ハーネスが配置される。つまり、蓋体１００の低い部分の外方に外部ハーネスを配置することで、低くなることで外部に生じるスペースを有効活用することができる。
【００８１】
また、蓋体１００は、蓋体１００側の固定部１１０を有する部分である高位置部１０１の内方に、電気部品としての基板４０が配置される。つまり、蓋体１００の高い部分の内方に基板４０等の電気部品を配置することで、高くなることで内部に生じるスペースを有効活用することができる。
【００８２】
以上、本発明の実施の形態に係る蓄電装置１について説明したが、本発明は、上記実施の形態に限定されるものではない。つまり、今回開示された実施の形態は全ての点で例示であって制限的なものではないと考えられるべきである。本発明の範囲は上記した説明ではなく特許請求の範囲によって示され、特許請求の範囲と均等の意味及び範囲内での全ての変更が含まれることが意図される。
【００８３】
例えば、上記実施の形態では、蓋体１００の複数の固定部１１０及び１２０は、形状及び大きさが同じになるように形成されていることとした。しかし、固定部１１０と固定部１２０とは、同じ高さを有するように形成されていればよい。つまり、複数の固定部１１０及び１２０のうち、高い部分である高位置部１０１に配置される固定部１１０と、低い部分である低位置部１０２に配置される固定部１２０とは、高さ方向（Ｚ軸方向）の長さが同じに形成されていればよい。例えば、固定部１１０と固定部１２０とが同じ高さを有しており、固定部１１０が固定部１２０よりも厚みが薄くかつ幅が大きく形成されることにしてもよい。
【００８４】
これによれば、蓋体１００の複数の固定部１１０及び１２０は、配置される高さが異なっていても、高さ方向の長さが同じに形成されていることで同等の折れやすさになるため、一部の固定部が先に折れたりしてしまうのを抑制することができる。このため、本構成の蓄電装置１によっても、外装体１０を構成する２つの部材（外装体本体２００及び蓋体１００）を複数の固定部１１０及び１２０で固定する構成において、当該複数の固定部１１０及び１２０のうちの一部の固定部が先に損傷してしまうのを抑制することができる。
【００８５】
または、複数の固定部１１０及び１２０は、高さ、厚み及び幅の少なくとも１つが同じであることにしてもよい。例えば、固定部１１０と固定部１２０とが同じ厚さを有し、かつ、高さと幅とが異なる場合でも、固定部１１０と固定部１２０とを同じ剛性に形成することができる。固定部１１０と固定部１２０とが同じ幅を有する場合についても同様である。このように、蓋体１００の複数の固定部１１０及び１２０は、高さ、厚み及び幅の少なくとも１つが同じになることで、同じ剛性を有する構成になることにしてもよい。
【００８６】
または、複数の固定部１１０及び１２０は、高さ、厚み及び幅の全てが異なることにしてもよい。この場合でも、複数の固定部１１０及び１２０を同じ剛性に形成することができれば、当該複数の固定部１１０及び１２０のうちの一部の固定部が先に損傷してしまうのを抑制することができる。
【００８７】
また、上記実施の形態では、蓋体１００は一体成形品であり、複数の固定部１１０及び１２０は同じ材質で形成されていることとした。しかし、固定部１１０と固定部１２０とは、別体で構成されていることにしてもよい。この場合、固定部１１０と固定部１２０とは、異なる材質で形成されていることにしてもよい。
【００８８】
また、上記実施の形態では、複数の固定部１１０及び１２０は、中間部材２２０との接触面積が同じであることとした。しかし、複数の固定部１１０及び１２０は、中間部材２２０から同じ応力を受ける場合には、中間部材２２０との接触面積が異なっていてもよい。
【００８９】
また、上記実施の形態では、蓋体１００が固定される中間部材２２０は、バスバーフレームであることとした。しかし、中間部材２２０は、バスバーフレームには限定されず、例えば、蓄電素子２０上、または、蓄電素子２０間に配置されるスペーサ等であってもよい。
【００９０】
また、上記実施の形態では、蓋体１００は、複数の固定部１１０及び１２０で、中間部材２２０に固定されることで、外装体本体２００に固定されることとした。しかし、蓋体１００は、複数の固定部１１０及び１２０のうちの一部の固定部で、中間部材２２０に固定されることにしてもよい。また、蓋体１００は、中間部材２２０ではなく、ハウジング２１０に固定されることで、外装体本体２００に固定されることにしてもよい。または、蓋体１００は、一部の固定部で中間部材２２０に固定され、かつ、他の固定部でハウジング２１０に固定されることで、外装体本体２００に固定されることにしてもよい。または、蓋体１００は、外装体本体２００が有する他の部材に固定されることにしてもよい。つまり、蓋体１００は、いくつの固定部で、外装体本体２００のどの部材に固定されてもよい。
【００９１】
また、上記実施の形態では、複数の固定部１１０及び１２０が中間部材２２０に係合することで、蓋体１００が中間部材２２０に固定されることとした。しかし、固定の形態は、係合には限定されず、嵌合、圧入、接着（粘着、溶着、溶接）、または、ネジ締め等による固定でもよい。
【００９２】
また、上記実施の形態では、蓋体１００に窪み部１３０及び１４０が形成され、窪み部１３０及び１４０に、固定部１１０及び１２０と係合部２２１及び２２２とが配置されることとした。しかし、蓋体１００には、窪み部１３０及び１４０は形成されていないことにしてもよい。
【００９３】
また、上記実施の形態では、低位置部１０２の外方に外部ハーネスが配置され、高位置部１０１の内方に基板４０が配置されることとした。しかし、低位置部１０２の外方には、外部ハーネス以外のものが配置されてもよく、高位置部１０１の内方には、基板４０以外のものが配置されてもよい。例えば、高位置部１０１の内方には、リレー、ヒューズ、サーミスタやその他の電気部品、または、電気部品以外のものが配置されてもよい。
【００９４】
また、上記実施の形態では、蓋体１００は、複数の固定部１１０及び複数の固定部１２０を有していることとした。しかし、蓋体１００は、１つの固定部１１０及び複数の固定部１２０、複数の固定部１１０及び１つの固定部１２０、または、１つの固定部１１０及び１つの固定部１２０を有していることにしてもよい。
【００９５】
また、上記実施の形態では、外装体本体２００は、箱形状のハウジング２１０と中間部材２２０とで構成されているとした。しかし、外装体本体２００はこのような構成に限定されない。蓄電装置１は、複数の蓄電素子２０を保持する部材として、ハウジング２１０のような箱状の部材ではなく、別の保持部材を用いることができる。例えば、一対のエンドプレートと、該一対のエンドプレートを連結する連結部材からなる保持部材を用いることができる。一対のエンドプレートで複数の蓄電素子２０を挟持し、一対のエンドプレートを連結部材で連結することにより複数の蓄電素子２０を保持する。このとき、一対のエンドプレートと、該一対のエンドプレートを連結する連結部材からなる保持部材に中間部材が固定される。つまり、一対のエンドプレートと、該一対のエンドプレートを連結する連結部材および中間部材２２０とで外装体本体２００を構成してもよい。この際、中間部材２２０は、連結部材に固定されるようにしてもよいし、エンドプレートに固定されるようにしてもよいし、その両方に固定してもよい。
【００９６】
また、上記実施の形態では、外装体本体２００（ハウジング２１０及び中間部材２２０）を第一外装体の一例とし、蓋体１００を第二外装体の一例とした。しかし、第一外装体及び第二外装体の組み合わせは、上記には限定されず、どのような部材の組み合わせを第一外装体及び第二外装体と定義してもかまわない。例えば、蓋体１００を第一外装体の一例とし、外装体本体２００（ハウジング２１０及び中間部材２２０）を第二外装体の一例としてもよい。つまり、外装体本体２００の構成要素（中間部材２２０またはハウジング２１０等）が固定部を有しており、蓋体１００に固定される構成等でもよい。この場合、例えば、中間部材２２０またはハウジング２１０等が脚部と爪部を有する固定部を有し、蓋体１００等が開口または凹部を有しており固定部と係合するようにする。
【００９７】
別の例としては、中間部材が、層状に二部材で構成されて、第一中間部材、第二中間部材からなるときに、第一中間部材を第一外装体、第二中間部材を第二外装体とする構成でもよい。さらに別の例として、蓄電装置が、保持体と、保持体の側方（Ｘ軸方向またはＹ軸方向）に固定されるカバー等の部材を備える場合、保持体を第一外装体、カバーを第二外装体として本発明を適用してもよい。
【００９８】
また、上記実施の形態及びその変形例に含まれる構成要素を任意に組み合わせて構築される形態も、本発明の範囲内に含まれる。
【００９９】
なお、本発明は、蓄電装置１として実現することができるだけでなく、蓄電装置１が備える外装体１０（第一外装体及び第二外装体）としても実現することができる。
【０１００】
本明細書が開示する技術は、蓄電装置が備える第一外装体、第二外装体を、それぞれ、第一部材、第二部材として適用することも含まれる。例えば、中間部材２２０を第一部材、蓋体１００を第二部材として考えてもよい。例えば、蓄電装置が、第一部分と第一部分に着脱される第二部分を有し、第一部分と第二部分の並び方向における固定に適用してもよい。例えば、蓄電装置が、蓄電素子を保持する本体と、本体に着脱される、電気機器ボックスとを備えるとき、本体または、本体を構成する一部分を第一部材とし、電気機器ボックスまたは電気機器ボックスの一部分を第二部材として、本明細書が開示する技術を適用してもよい。上記の構成は一例であり、様々な構成に適用できる。
【産業上の利用可能性】
【０１０１】
本発明は、リチウムイオン二次電池などの蓄電素子を備えた蓄電装置に適用できる。
【符号の説明】
【０１０２】
１  蓄電装置
１０  外装体
２０  蓄電素子
４０  基板
１００  蓋体
１０１  高位置部
１０２  低位置部
１０３  外表面
１１０、１２０  固定部
１３０、１４０  窪み部
２００  外装体本体
２２０  中間部材
２２１、２２２  係合部
【図１】
2018123784.tif 000003
【図２】
2018123784.tif 000004
【図３】
2018123784.tif 000005
【図４】
2018123784.tif 000006
【図５Ａ】
2018123784.tif 000007
【図５Ｂ】
2018123784.tif 000008
【図６Ａ】
2018123784.tif 000009
【図６Ｂ】
2018123784.tif 000010
【図７】
2018123784.tif 000011
【図８】
2018123784.tif 000012
【図９】
2018123784.tif 000013
【国際調査報告】
2018123784.tif 000014
2018123784.tif 000015
2018123784.tif 000016
2018123784.tif 000017